(57)【要約】【課題】  蛍光ランプを破損したり、ガラス破片が飛散したりする心配が無く、また、点灯ユニットや持ち運び用取手のために外形寸法が大きくなったり、見栄えが損ねられたりしない照明器具を提供する。【解決手段】    透光部を有する殻状のケース（２）に、口金（３１ａ，３２ａ）を備える丸型の蛍光ランプ（３１，３２）を収納し、蛍光ランプ（３１，３２）の内側に、ランプ点灯させるための点灯ユニット（４）を配設するとともに、ケース（２）に蛍光ランプ（３１，３２）の内側を貫通する貫通穴（２ａ）を形成ししたことを特徴とする。【選択図】図１
2006236802.tif 000002
【特許請求の範囲】
【請求項１】
透光部を有する殻状のケース（２）に、口金（３１ａ，３２ａ）を備える蛍光ランプ（３１，３２）を収納したことを特徴とする照明器具。
【請求項２】
前記蛍光ランプ（３１，３２）を、相互に連結されて前記ケース（２）を形成する複数の分割体（２１，２２）により、挟持固定したことを特徴とする請求項１に記載の照明器具。
【請求項３】
前記蛍光ランプ（３１，３２）と前記複数の分割体（２１，２２）の間に、弾性材で形成される支持片（２１１，２２１）を介在させて、前記蛍光ランプ（３１，３２）及び前記口金（３１ａ，３２ａ）に係合するソケット（４１ａ，４２ａ，６１ａ，６２ａ，７１ａ，７２ａ）を前記ケース（２）に対してフローティング支持したことを特徴とする請求項１又は２に記載の照明器具。
【請求項４】
前記支持片（２１１，２２１）を、前記ケース（２）に固定したことを特徴とする請求項３に記載の照明器具。
【請求項５】
前記支持片（２１１，２２１）を、前記複数の分割体（２１，２２）に分けて固定したことを特徴とする請求項３に記載の照明器具。
【請求項６】
前記支持片（２１１，２２１）を、前記ケース（２）内における前記蛍光ランプ（３１，３２）の収納位置を特定するように配置したことを特徴とする請求項４又は５に記載の照明器具。
【請求項７】
前記支持片（２１１，２２１）を、前記ケース（２）に対して着脱可能としたことを特徴とする請求項４乃至６のいずれかに記載の照明器具。
【請求項８】
前記蛍光ランプ（３１，３２）は、環状蛍光ランプであることを特徴とする請求項１乃至７のいずれかに記載の照明器具。
【請求項９】
前記ケース（２）に、前記蛍光ランプ（３１，３２）の内側を通過する穴（２ａ）を形成したことを特徴とする請求項８に記載の照明器具。
【請求項１０】
前記蛍光ランプ（３１，３２）の内側に、ランプ点灯させるための点灯ユニット（４）を配設したことを特徴とする請求項８又は９に記載の照明器具。
【請求項１１】
前記点灯ユニット（４）を、前記ケース（２）内に収納したことを特徴とする請求項８乃至１０のいずれかに記載の照明器具。
【請求項１２】
前記ソケット（６１ａ，６２ａ，７１ａ，７２ａ）に接続されるコード（６１，６２，７１，７２）を、前記ケース（２）の外側に導出して、前記ケース（２）から分離した状態で配設される点灯ユニット（６，７）に接続したことを特徴とする請求項１乃至９のいずれかに照明器具。
【請求項１３】
前記点灯ユニット（６）にコンセントへの差込プラグ（６ａ）を一体的に備えることを特徴とする請求項１２に記載の照明器具。
【請求項１４】
前記ケース（２）を水密に形成したことを特徴とする請求項１２又は１３に記載の照明器具。
【請求項１５】
前記穴（２ａ）に係合する係合部（５２）を有して前記ケース（２）を着脱自在に支持するブラケット（５）を、備えることを特徴とする請求項９乃至１１のいずれかに記載の照明器具。
【請求項１６】
前記ケース（２）には、前記ケース（２）にヒンジ固定されており、該ヒンジ固定部（２４）を中心にしてバタフライ状に展開される一対のハンドル（２５，２６）が設けられており、展開した該ハンドル（２５，２６）をスタンドとして使用できることを特徴とする請求項１乃至１５のいずれかに記載の照明器具。
【発明の詳細な説明】
【技術分野】
【０００１】
本発明は、可搬式の照明器具に関する。
【背景技術】
【０００２】
従来、可搬式の照明器具で蛍光ランプを使用したものとしては、支持ベースに固定される照明器具本体に、ソケットと反射板を備えたシェードを固定して、前記ソケットに蛍光ランプの口金を係合させ、蛍光ランプからの光を前記反射板で所定方向に向けるようにしたものが一般的である（例えば、特許文献１参照）。
【特許文献１】特開２００４−１３４１５３号公報
【発明の開示】
【発明が解決しようとする課題】
【０００３】
しかしながら、従来の照明器具では、むき出し状態での蛍光ランプに物をぶつけると、蛍光ランプを破損させることがあり、かかる場合に蛍光ランプのガラス破片が飛散することがある。照明器具の蛍光ランプ以外の部分に物にぶつけても、そのショックがソケットを介して蛍光ランプに直接的に伝わり、蛍光ランプを破損させることがある。
【０００４】
また、従来の照明器具では、照明器具本体や支持ベースの内部に点灯ユニット（安定器等）を収納するが、そのスペース確保のために、外形寸法が大きくなったり、デザイン上の制約を受けたりするという問題がある。
【０００５】
さらに、従来の照明器具は、持ち運びに不向きな形状をしており、場所を変えながら使用する場合に不便である。これに対して、腕や肩に掛けて持ち運べるように取手やベルトを設けることも考えられるが、これによって、外形寸法が大きくなったり、見栄えを損ねたりするという問題がある。
【０００６】
本発明は、斯かる実情に鑑み、蛍光ランプを破損したり、ガラス破片が飛散したりする心配が無く、また、点灯ユニットや持ち運び用取手のために外形寸法が大きくなったり、見栄えを損ねたりしない照明器具を提供するものである。
【課題を解決するための手段】
【０００７】
本発明の請求項１に記載の発明は、透光部を有する殻状のケース（２）に、口金（３１ａ，３２ａ）を備える蛍光ランプ（３１，３２）を収納したことを特徴とする照明器具を提供する。なお、殻状のケースは、蛍光ランプを外部から完全に遮断するようなものに限らず、蛍光ランプが物に直接当たらない程度に保護されていれば良い。
【０００８】
本発明の請求項２に記載の発明は、前記蛍光ランプ（３１，３２）を、相互に連結されて前記ケース（２）を形成する複数の分割体（２１，２２）により、挟持固定したことを特徴とする請求項１に記載の照明器具を提供する。
【０００９】
本発明の請求項３に記載の発明は、前記蛍光ランプ（３１，３２）と前記複数の分割体（２１，２２）の間に、弾性材で形成される支持片（２１１，２２１）を介在させて、前記蛍光ランプ（３１，３２）及び前記口金（３１ａ，３２ａ）に係合するソケット（４１ａ，４２ａ，６１ａ，６２ａ，７１ａ，７２ａ）を前記ケース（２）に対してフローティング支持したことを特徴とする請求項１又は２に記載の照明器具を提供する。
【００１０】
本発明の請求項４に記載の発明は、前記支持片（２１１，２２１）を、前記ケース（２）に固定したことを特徴とする請求項３に記載の照明器具を提供する。
【００１１】
本発明の請求項５に記載の発明は、前記支持片（２１１，２２１）を、前記複数の分割体（２１，２２）に分けて固定したことを特徴とする請求項３に記載の照明器具を提供する。
【００１２】
本発明の請求項６に記載の発明は、前記支持片（２１１，２２１）を、前記ケース（２）内における前記蛍光ランプ（３１，３２）の収納位置を特定するように配置したことを特徴とする請求項４又は５に記載の照明器具を提供する。
【００１３】
本発明の請求項７に記載の発明は、前記支持片（２１１，２２１）を、前記ケース（２）に対して着脱可能としたことを特徴とする請求項４乃至６のいずれかに記載の照明器具を提供する。
【００１４】
本発明の請求項８に記載の発明は、前記蛍光ランプ（３１，３２）は、環状蛍光ランプであることを特徴とする請求項１乃至７のいずれかに記載の照明器具を提供する。
【００１５】
本発明の請求項９に記載の発明は、前記ケース（２）に、前記蛍光ランプ（３１，３２）の内側を通過する穴（２ａ）を形成したことを特徴とする請求項８に記載の照明器具を提供する。
【００１６】
本発明の請求項１０に記載の発明は、前記蛍光ランプ（３１，３２）の内側に、ランプ点灯させるための点灯ユニット（４）を配設したことを特徴とする請求項８又は９に記載の照明器具を提供する。
【００１７】
本発明の請求項１１に記載の発明は、前記点灯ユニット（４）を、前記ケース（２）内に収納したことを特徴とする請求項８乃至１０のいずれかに記載の照明器具を提供する。
【００１８】
本発明の請求項１２に記載の発明は、前記ソケット（６１ａ，６２ａ，７１ａ，７２ａ）に接続されるコード（６１，６２，７１，７２）を、前記ケース（２）の外側に導出して、前記ケース（２）から分離した状態で配設される点灯ユニット（６，７）に接続したことを特徴とする請求項１乃至９のいずれかに照明器具を提供する。
【００１９】
本発明の請求項１３に記載の発明は、前記点灯ユニット（６）にコンセントへの差込プラグ（６ａ）を一体的に備えることを特徴とする請求項１２に記載の照明器具を提供する。
【００２０】
本発明の請求項１４に記載の発明は、前記ケース（２）を水密に形成したことを特徴とする請求項１２又は１３に記載の照明器具を提供する。
【００２１】
本発明の請求項１５に記載の発明は、前記穴（２ａ）に係合する係合部（５２）を有して前記ケース（２）を着脱自在に支持するブラケット（５）を、備えることを特徴とする請求項９乃至１１のいずれかに記載の照明器具を提供する。
【００２２】
本発明の請求項１６に記載の発明は、前記ケース（２）には、前記ケース（２）にヒンジ固定されており、該ヒンジ固定部（２４）を中心にしてバタフライ状に展開される一対のハンドル（２５，２６）が設けられており、展開した該ハンドル（２５，２６）をスタンドとして使用できることを特徴とする請求項１乃至１５のいずれかに記載の照明器具を提供する。
【発明の効果】
【００２３】
本発明の請求項１に記載の照明器具によれば、蛍光ランプ（３１，３２）が殻状のケース（２）で覆われているため、照明器具を物にぶつけたりしても、蛍光ランプ（３１，３２）は容易に破損せず、万一破損しても蛍光管の破片の飛散を防止できるという優れた効果を奏し得る。
【００２４】
本発明の請求項２に記載の照明器具によれば、請求項１に記載の照明器具が奏する効果に加えて、以下の優れた効果を奏し得る。ケース（２）を形成する複数の分割体（２１，２２）で蛍光ランプ（３１，３２）を挟持固定するため、ランプ把持用のクランプを特別に設けたり、また、クランプ固定のためにケース（２）を補強したりする面倒が避けられる。
【００２５】
本発明の請求項３に記載の照明器具によれば、請求項１又は２に記載の照明器具が奏する効果に加えて、以下の優れた効果を奏し得る。蛍光ランプ（３１，３２）及びこれに係合するソケット（４１ａ，４２ａ，６１ａ，６２ａ，７１ａ，７２ａ）をフローティング支持したので、ケース（２）への外部衝撃は、弾性材で形成される支持片（２１１，２２１）によって吸収され、蛍光ランプ（３１，３２）の破損が避けられる。
【００２６】
本発明の請求項４又は５に記載の照明器具によれば、請求項３に記載の照明器具が奏する効果に加えて、以下の優れた効果を奏し得る。支持片（２１１，２２１)をケース（２）側に固定したので、蛍光ランプ（３１，３２）の交換時に、支持片（２１１，２２１)の紛失や誤組付を生じることがなく、フローティング効果を損なうことを確実に防止できる。
【００２７】
本発明の請求項６に記載の照明器具によれば、請求項４又は５に記載の照明器具が奏する効果に加えて、以下の優れた効果を奏し得る。支持片（２１１，２２１)で蛍光ランプ（３１，３２）の収納位置が特定されることにより、蛍光ランプ（３１，３２）を容易に、誤組付けなく交換できる。
【００２８】
本発明の請求項７に記載の照明器具によれば、請求項４乃至６のいずれかに記載の照明器具が奏する効果に加えて、以下の優れた効果を奏し得る。支持片（２１１，２２１）をケース（２）に対して着脱可能としたので、サイズ違いの（例えば、蛍光管径やランプ形状が異なる）蛍光ランプへの交換も容易にできる。
【００２９】
本発明の請求項８に記載の照明器具によれば、請求項１乃至７に記載の照明器具が奏する効果に加えて、以下の優れた効果を奏し得る。通常の直管形の蛍光ランプと比較して、長手方向の寸法を小さく抑えることができるので、持ち運びがし易い。
【００３０】
本発明の請求項９に記載の照明器具によれば、請求項８に記載の照明器具が奏する効果に加えて、以下の優れた効果を奏し得る。ケース（２）を、穴（２ａ）で腕に掛けて持ち運んだり、穴（２ａ）で服掛け、ドアノブ等に掛けて使用したりできる。また、穴（２ａ）は、環状蛍光ランプ（３１，３２）の内側に形成したので、照明器具全体の寸法を大きくせずに済む。
【００３１】
本発明の請求項１０に記載の照明器具によれば、請求項８又は９に記載の照明器具が奏する効果に加えて、以下の優れた効果を奏し得る。点灯ユニット（４）を環状蛍光ランプ（３１，３２）の内側に設けたので、照明器具の外形寸法を小さく抑えることができる。また、蛍光ランプ（３１，３２）の照射光が、点灯ユニット（４）で遮られたりすることがなく、ランプ照射範囲を設定する際の制約が少ない。例えば、ケース（２）全体を透明樹脂で形成することにより、照明器具の周囲の全方向を同時に照らすことができる。
【００３２】
本発明の請求項１１に記載の照明器具によれば、請求項８乃至１０のいずれかに記載の照明器具が奏する効果に加えて、以下の優れた効果を奏し得る。点灯ユニット（４）を前記ケース（２）内に収納したので、点灯ユニット（４）及びこれに接続するソケットコードが保護される。
【００３３】
本発明の請求項１２に記載の照明器具によれば、請求項１乃至９のいずれかに記載の照明器具が奏する効果に加えて、以下の優れた効果を奏し得る。点灯ユニット（６，７）をケース（２）外部に設けることにより、ケース（２）が軽量化され、また、点灯ユニット（６，７）から発生する熱による高温化が避けられるので、ケース（２）を手で持ちながら使用する場合に適したものとすることができる。
【００３４】
本発明の請求項１３に記載の照明器具によれば、請求項１２に記載の照明器具が奏する効果に加えて、以下の優れた効果を奏し得る。点灯ユニット（６）にコンセントへの差込みプラグを一体的に設けたので、ケース（２）を移動させながら使用する場合において、点灯ユニット（６）を床面上等で引きずることが避けられる。
【００３５】
本発明の請求項１４に記載の照明器具によれば、請求項１２または１３に記載の照明器具が奏する効果に加えて、以下の優れた効果を奏し得る。ケース（２）を水密にしたので、水が掛かるような場所でも使用可能である。なお、点灯ユニット（６，７）は、ケース（２）の外側に設けられているので、水密にしても高温になることは無い。
【００３６】
本発明の請求項１５に記載の照明器具によれば、請求項９乃至１１のいずれかに記載の照明器具が奏する効果に加えて、以下の優れた効果を奏し得る。ブラケット（５）は、穴（２ａ）に係合してケース（２）を支持するため、ブラケット（５）係合用の金具等を設けたりしなくても済む。
【００３７】
本発明の請求項１６に記載の照明器具によれば、請求項１乃至１５のいずれかに記載の照明器具が奏する効果に加えて、以下の優れた効果を奏し得る。ハンドル（２５，２６）を展開して据設置用スタンドとして使用できるようにしたので、据置時に邪魔になることが避けられる。
【発明を実施するための最良の形態】
【００３８】
以下、本発明の実施の形態を、添付図面を参照しながら説明する。
【００３９】
図１〜図５は発明を実施する形態の一例を示す。図１は、本実施形態に係る照明器具１の正面図、図２は側面図、図３は分解斜視図である。図４は、照明器具１を係合支持するためのブラケット５を示し、（ａ）は下面図、（ｂ）は側面図である。図５は、照明器具１を天井に取り付けられたブラケット５に固定した様子を示し、（ａ）は下面図、（ｂ）は側面図である。なお、図４、図５について（ａ）を下面図としたが、これは、照明器具を使用する際の向きを限定するものでない。
【００４０】
〔照明器具１〕
照明器具１は、可搬型の照明器具であって、図１及び図２に示されるように、円盤型の殻状ケース２に、口金３１ａ，３２ａを備える環状の蛍光ランプ３１，３２と点灯ユニット４を収納してなり、ケース２からコンセント用の差込プラグ４３ａを有する電源コード４３が導出され、また、ケース２を着脱自在に支持するブラケット５（図４及び図５に示す。）を備える。照明器具１を物にぶつけても、蛍光ランプ３１，３２は、ケース２で覆われているため、容易に破損することはなく、蛍光ランプのガラス管が破損してもガラス管の破片等の飛散は防止される。
【００４１】
ケース２に収納される蛍光ランプ３１，３２は、サイズ違い（例えば、４０Ｗ形と３２Ｗ形）の丸形の環状蛍光ランプであって、点灯ユニット４から口金３１ａ，３２ａに係合するソケット４１ａ，４２ａを通じて供給される電力により点灯する。環状蛍光ランプを採用したため、照明器具１の長手方向の寸法は、同じワット数の直管形蛍光ランプを採用する場合よりも小さく抑えられ、持ち運びがし易くなっている。また、小径の蛍光ランプ３２は、大径の蛍光ランプ３１を貫通する穴の内側に収められているため、これによって、ケース２は厚み寸法ｔ（図２）が小さく抑えられている。
【００４２】
〔ケース２〕
ケース２は、耐衝撃性の高いポリカーボネート樹脂製で、トレイ形状をした２つ（複数）の分割体２１，２２を重ね合わせ、ビス穴に挿通するビス２３と後述するヒンジ固定部材２４で相互に連結することにより形成される。分割体２１，２２は、図３に示されるようにケース２を厚み方向で半割にした同形状とされているが、分割体２１が半透明の乳白色でランプ光を透過する透光部となるのに対して、分割体２２がその内面に光反射面が形成される遮光部である点で異なる。
【００４３】
〔分割体２１，２２〕
分割体２１，２２は、その略中央部に、図３に示されるように、貫通穴２１ａ，２２ａ、及び隔壁２１ｂ，２２ｂが形成されている。貫通穴２１ａ，２２ａは、分割体２１，２２が相互に連結された状態で内周縁どうしが接合されて、ケース２を厚み方向に貫通する貫通穴２ａを形成する。この貫通穴２ａを利用すれば、照明器具の寸法を大きくするようなハンドルを付けなくても、ケース２を腕に掛けて持ち運んだり、使用場所にある突起物に掛けたりして使用することができる。隔壁２１ｂ，２２ｂは、分割体２１，２２が相互に連結された状態で、周囲から区画されるとともに後述する点灯ユニット４を収納する小室２ｂを形成する。
【００４４】
隔壁２１ｂ，２２ｂの周辺には、主に点灯ユニット４から生じる熱をケース外部へ逃がすスリット状の通気穴２１ｃ，２２ｃが形成される。また、分割体２１，２２の合わせ縁部には、図２に示されるように、複数個の切欠２１ｄ，２２ｄが対向するように間隔をおいて形成されており、これらの切欠はケース２に通気穴２ｄを形成する。
【００４５】
分割体２１，２２は、図３に示されるように、その周方向の４ヵ所（複数位置）に、円盤型の径方向に延びるリブ２１ｅ，２２ｅを備える。リブ２１ｅ、２２ｅには、半円形の受部２１１ｆ，２１１ｇを備える支持片２１１と、同じく半円形の受部２２１ｆ，２２１ｇを備える支持片２２１が固定される。その他、分割体２１，２２の外周縁部には、外径方向に突出して、相互に重なる突状部２１ｈ,２２ｈが形成されている。
【００４６】
分割体２１，２２は、これらが連結された状態で蛍光ランプ３１，３２を挟持固定するが、蛍光ランプ３１，３２の間に介在する支持片２１１，２２１はシリコンゴム等の弾性材で形成され、しかも蛍光ランプ３１，３２及びこれに係合するソケット４１ａ，４２ａと、ケース２との間には十分な隙間が確保されている。これにより、蛍光ランプ３１，３２とソケット４１ａ，４２ａは、ケース２に対して弾性材でフローティング支持されることとなり、ケース２を物にぶつけても、その衝撃が蛍光ランプ３１，３２に直接伝わることはない。また、支持片２１１，２２１は、厚みが小さく設定されているため、蛍光ランプからの照射光が実質的に遮られることはない。なお、支持片２１１，２２１を透光性の弾性材で形成すれば、その厚みを小さくしなくても、照射光を遮断されないようにすることができる。
【００４７】
また、支持片２１１，２２１は、分割体２１，２２に固定されているので、蛍光ランプ３１，３２の交換時に紛失する心配がなく、しかも、蛍光ランプの管形状に合わせた半円形の受部２１１ｆ，２１１ｇ，２２１ｆ，２２１ｇを備えているので、ケース２を分解した状態において、蛍光ランプ３１，３２の収納位置が特定されて蛍光ランプを容易に交換することができる。さらに、支持片２１１，２２１は、リブ２１ｅ、２２ｅに嵌め込むことにより着脱可能に固定されており、したがって、これを形状の異なるものに交換して、例えば、管径や環径の異なる蛍光ランプを使用できるようにすることも可能である。
【００４８】
〔ハンドル２５，２６〕
ケース２には、照明器具１の持ち運び用グリップ及び据置用スタンドとなるハンドル２５，２６が取付けられる。ハンドル２５，２６は、図３に示されるように、ハンドル本体部２５ａ，２６ａにカバー２５ｂ，２６ｂを嵌め込んでなるコの字形部材で、突状部２１ｈ、２２ｈに嵌着するヒンジ固定部材２４に回動可能に固定され、図２に実線で示されるように閉じられた状態で、照明器具１の持ち運び用グリップとして機能し、図２に一点鎖線で示されるように展開された状態で、据置用スタンドとして機能する。
【００４９】
〔点灯ユニット４〕
点灯ユニット４は、蛍光ランプを点灯させるための機器（例えば、安定器）を収容した箱状のもので、図３に示されるように、ソケット４１ａ，４２ａを先端に備えるソケットコード４１，４２と、電源コード４３を備える。点灯ユニット４は、上述したようにケース２の内部に区画形成される小室２ｂに収納されており、ソケットコード４１，４２と電源コード４３は、隔壁２１ｂ，２２ｂの隙間（不図示）から小室２ｂの外側に導出される。図１に示されるように、ソケット４１ａ，４２ａは、口金３１ａ，３２ａに係合した状態でケース２の内部に収納され、電源コード４３は、ケース２外部に導出され、先端に電源コンセントへの差込プラグ４３ａが設けられる。
【００５０】
〔ブラケット５〕
ブラケット５は、図４に示されるように、平板状のブラケット本体５１に、クランプ状の係合部５２とフック部５３を一体的に備えてなる。ブラケット本体５１には、天井等に固定するためビス穴５１ａと、壁掛けフック等に掛けるための壁掛穴５１ｂが形成される。図５に示されるように、天井Ｒにブラケット５を固定しておけば、係合部５２を貫通穴２ａに係合して、ケース２をかかえ込むように支持し、フック部５３をケース２の側面に設けられる通気穴２ｄに係合することで、ケース２をぐらつかないようにして、補助的に支持することができるので、天井固定型の照明器具と同様に使用することもできる。なお、係合部５２の先端には、ケース２が不用意に外れることを防止する爪５２ａ（図４）が形成されている。
【００５１】
〔上記実施形態の変形例〕
上記実施形態に係る照明器具１では、点灯ユニット４をケース２の内側に収納したが、これに代えて、図６（ａ）に示されるように、蛍光ランプ３１，３２の口金３１ａ，３２ａに係合するソケット６１ａ，６２ａから延びるソケットコード６１，６２を束ねてケース２の外側に導出し、その先端にケース２から分離した状態で設けられる点灯ユニット６を接続するようにしても良く、さらに、点灯ユニット６に、コンセントへの差込プラグ６ａを設けるようにしても良い。なお、図６（ｂ）に示されるように、蛍光ランプ３１，３２の口金３１ａ，３２ａに係合するソケット７１ａ，７２ａから延びるソケットコード７１，７２を束ねてケース２の外側に導出して、その先端にケース２から分離した状態で設けられる点灯ユニット７を接続し、点灯ユニット７から差込プラグ７３ａを先端に備える電源コード７３を導出するようにしても良い。
【００５２】
図６（ａ）及び（ｂ）のように構成することで、照明器具本体となるケース２は、内部に蛍光ランプ３１，３２のみが収納されるため、軽量化され、高温化が避けられることはもちろん、ケース２に形成される貫通穴２ａを上記実施形態の照明器具と比べて、さらに大きくすることができ、照明器具の使用性が高められる。例えば、図７に示されるように、貫通穴２ａで作業用ヘルメットＨに固定するようにしても良い。また、ケース２内部の温度上昇が抑えられるため、通気穴２１ｂ，２１ｃ，２ｄをすべて廃止し、分割体２１，２２の合わせ面やソケットコード６１，６２，７１，７２の取出口をシールすることにより、ケース２を水密に形成して、ケース２を水が掛かるような場所でも使用できるように構成しても良い。
【００５３】
上記実施形態では、分割体２１と２２は、ケース２を反割にした同形状に形成したが、これに限らず、例えば、一方の分割体を、開口を有する箱形状とし、他方の分割体を、前記開口を閉鎖する蓋形状として、これらの分割体を相互に連結することによって蛍光ランプを挟持固定するケース２を形成しても良い。また、ケース２は、２つの分割体で形成したが、３つ以上の分割体で形成することとしても良い。
【００５４】
上記実施形態では、ケース２を形成する分割体２１，２２は、ポリカーボネート樹脂で形成したが、他の材料で形成しても良い。また、分割体２１と２２とで異なる材料を使用しても良く、例えば、分割体２１を透明樹脂で形成し、分割体２２を金属で形成することとしても良い。また、同じ分割体において異なる材料を組み合わせて使用しても良い。
【００５５】
上記実施形態では、分割体２１を透明に形成して透光部とする一方、分割体２２を内面に光反射面を備える反射部としたが、これに限らず、分割体２１，２２の両方を透明樹脂で形成して全体を透光部としても良い。点灯ユニット４は蛍光ランプの内側に設けられているので、ケース２全体を透光部とすれば、蛍光ランプ３１，３２から周囲に照射する光を、点灯ユニット４によって遮られることはなく、照明器具１の上下左右前後を同時に照らすことができる。図６に示される変形例のように、点灯ユニット４を蛍光ランプの外側に配設しておけば、貫通穴２ａの内側は、３６０度の方向から光が照射されるため、細かいものの観察用照明に適したものとなる。なお、貫通穴２ａの内側に蛍光ランプの光を集めるために、ケース２の外周縁部に沿って反射面を形成しても良い。
【００５６】
上記実施形態に係る照明器具１は、複数本の蛍光ランプ３１，３２を使用したが、蛍光ランプは一本だけとしても良い。蛍光ランプ３１，３２は、環形を丸としたが、例えば、楕円形や四角形等の異なる環形をした環状蛍光ランプを使用することも可能である。ケース２には、据置スタンド等として使用できるハンドル２５，２６を取り付けたが、これは、照明器具として必須のものではなく省いても良い。また、貫通穴２ａは、上記実施形態のような形状に限らず、例えば円形や四角形としても良い。
【図面の簡単な説明】
【００５７】
【図１】本実施形態に係る正面図。
【図２】照明器具１の側面図。
【図３】照明器具１の分解斜視図。
【図４】照明器具１を係合支持するブラケット５を示し、（ａ）は下面図、（ｂ）は側面図。
【図５】照明器具１をブラケット５で固定した状態を示し、（ａ）は下面図、（ｂ）は側面図。
【図６】本実施形態の変形例を示す図。
【図７】本実施形態に変形例に係る照明器具の使用例を示す図。
【符号の説明】
【００５８】
１    照明器具
２    ケース
２ａ    穴（貫通穴）
２ｂ    小室
２ｄ    通気穴
２ｆ，２ｇ    支持穴
２１，２２    分割体
２１ａ，２２ａ    貫通穴
２１ｂ，２２ｂ    隔壁
２１ｃ，２２ｃ    通気穴
２１ｄ，２２ｄ    切欠
２１ｅ，２２ｅ    リブ
２１ｈ，２２ｈ    突状部
２１１，２２１    支持片
２１１ｆ，２１１ｇ，２２１ｆ，２２１ｇ    受部
２３    ビス
２４    ヒンジ固定部
２５，２６    ハンドル
２５ａ，２６ａ    ハンドル本体部
２５ｂ，２６ｂ    カバー
３１，３２    蛍光ランプ
３１ａ，３２ａ    口金
４    点灯ユニット
４１，４２    ソケットコード
４１ａ，４２ａ    ソケット
４３    電源コード
４３ａ    差込プラグ
５    ブラケット
５１    ブラケット本体
５１ａ    ビス穴
５１ｂ    壁掛穴
５２    係合部
５２ａ    爪
５３    フック部
【図１】
2006236802.tif 000003
【図２】
2006236802.tif 000004
【図３】
2006236802.tif 000005
【図４】
2006236802.tif 000006
【図５】
2006236802.tif 000007
【図６】
2006236802.tif 000008
【図７】
2006236802.tif 000009